(57)【要約】【課題】操作性の優れた表示装置を提供すること。【解決手段】第一表示領域と、第二表示領域とを備えた表示媒体と、前記第一表示領域に表示する前記第一ページデータを切換える指示の信号を発生する第一信号発生手段と、前記第二表示領域に表示する第二ページデータを切換える指示の信号を発生する第二信号発生手段と、前記第一信号発生手段からの信号を受信すると、前記第一表示領域の表示を切換え、且つ、第一ページデータに関連する前記第二ページデータに切換える第一表示制御手段と、前記第二信号発生手段からの信号を受信すると、表示中の前記第二ページデータとは異なり、且つ、表示中の前記第一ページデータに関連する範囲内の前記第二ページデータを前記取得手段から取得し、前記第二表示領域の表示を取得した前記第二ページデータに切換える第二表示制御手段とを備えた表示装置。【選択図】        図１
2007101596.tif 000002
【特許請求の範囲】
【請求項１】
ページ単位のデータである第一ページデータを複数備えた第一ページデータ群、及び、ひとつの第一ページデータに複数関連付けられることが可能な第二ページデータを複数備えた第二ページデータ群を取得する取得手段と、
前記第一ページデータ群の前記第一ページデータを表示する第一表示領域と、前記第二ページデータ群の前記第二ページデータを表示する第二表示領域とを備えた表示媒体と、
前記第一表示領域に表示する前記第一ページデータを切換える指示の信号を発生する第一信号発生手段と、
前記第二表示領域に表示する第二ページデータを切換える指示の信号を発生する第二信号発生手段と、
前記第一信号発生手段からの信号を受信すると、表示中の前記第一ページデータとは異なる前記第一ページデータを前記取得手段から取得し、前記第一表示領域の表示を取得した前記第一ページデータに切換え、且つ、前記第二表示領域の表示を取得した前記第一ページデータに関連する前記第二ページデータに切換える第一表示制御手段と、
前記第二信号発生手段からの信号を受信すると、表示中の前記第二ページデータとは異なり、且つ、表示中の前記第一ページデータに関連する範囲内の前記第二ページデータを前記取得手段から取得し、前記第二表示領域の表示を取得した前記第二ページデータに切換える第二表示制御手段とを備えた表示装置。
【請求項２】
前記第二表示制御手段は、前記第一表示領域に表示されている前記第一ページデータに関連する前記第二ページデータが複数存在する場合に、現在表示されている前記第一ページデータに関連する前記第二ページデータが複数存在することを示す改ページ情報を表示することを特徴とする請求項１記載の表示装置。
【請求項３】
前記第二表示制御手段は、前記第一表示領域に表示されている前記第一ページデータに関連する次のページの前記第二ページデータが存在する場合に、現在表示されている前記第一ページデータに関連する次のページの前記第二ページデータが存在することを示す改ページ情報を表示することを特徴とする請求項２記載の表示装置。
【請求項４】
前記表示制御手段は、前記第一表示領域に表示されている前記第一ページデータに関連する前のページの前記第二ページデータが存在する場合に、現在表示されている前記第一ページデータに関連する前のページの前記第二ページデータが存在することを示す改ページ情報を表示することを特徴とする請求項２記載の表示装置。
【請求項５】
前記第一信号発生手段は、次のページに進めるための第一送りボタンと、前のページに戻すための第一戻りボタンとを有し、前記第一送りボタンが操作された場合に次のページの前記第一ページデータに表示を切換える指示の信号を発生し、前記第一戻りボタンが操作された場合に前のページの前記第一ページデータに表示を切換える指示の信号を発生し、
前記第二信号発生手段は、次のページに進めるための第二送りボタンと、前のページに戻すための第二戻りボタンとを有し、前記第二送りボタンが操作された場合に次のページの前記第二ページデータに表示を切換える指示の信号を発生し、前記第二戻りボタンが操作された場合に前のページの前記第二ページデータに表示を切換える指示の信号を発生することを特徴とする請求項１から請求項４のいずれかに記載の表示装置。
【請求項６】
前記取得手段は、ひとつの前記第一ページデータに所定の参照順に関連付けられた前記第二ページデータを複数備えた前記第二ページデータ群を取得し、
前記第二表示制御手段は、前記所定の参照順に前記第二ページデータを切換えることを特徴とする請求項１から請求項５のいずれかに記載の表示装置。
【請求項７】
前記取得手段は、テキストデータである前記第一ページデータを複数備えた前記第一ページデータ群、及び、イメージデータである前記第二ページデータを複数備えた前記第二ページデータ群を取得することを特徴とする請求項１から請求項６のいずれかに記載の表示装置。
【請求項８】
前記表示媒体は、互いに対向して設けられた第一基板及び第二基板と、前記第一基板と第二基板との基板間に荷電粒子を分散させた表示液とを備えた電気泳動表示媒体であることを特徴とする請求項１から請求項７のいずれかに記載の表示装置。
【請求項９】
ページ単位のデータである第一ページデータを複数備えた第一ページデータ群、及び、ひとつの第一ページデータに複数関連付けられることが可能な第二ページデータを複数備えた第二ページデータ群を取得する取得手段と、
前記第一ページデータ群の前記第一ページデータを表示する第一表示領域と、前記第二ページデータ群の前記第二ページデータを表示する第二表示領域とを備えた表示媒体と、
前記第一表示領域に表示する前記第一ページデータを切換える指示の信号を発生する第一信号発生手段と、
前記第二表示領域に表示する第二ページデータを切換える指示の信号を発生する第二信号発生手段とを備えた表示装置のコンピュータを、
前記第一信号発生手段からの信号を受信すると、表示中の前記第一ページデータとは異なる前記第一ページデータを前記取得手段から取得し、前記第一表示領域の表示を取得した前記第一ページデータに切換え、且つ、前記第二表示領域の表示を取得した前記第一ページデータに関連する前記第二ページデータに切換える第一表示制御手段と、
前記第二信号発生手段からの信号を受信すると、表示中の前記第二ページデータとは異なり、且つ、表示中の前記第一ページデータに関連する範囲内の前記第二ページデータを前記取得手段から取得し、前記第二表示領域の表示を表示中の前記第二ページデータから取得した前記第二ページデータに切換える第二表示制御手段として機能させる表示プログラム。
【発明の詳細な説明】
【技術分野】
【０００１】
本発明は、表示装置及び表示プログラムに関する。
【背景技術】
【０００２】
従来、電子書籍等のデータのように複数のページ単位のデータからなるコンテンツデータを１ページずつ表示させる表示装置があった。このような表示装置においては、ディスプレイに１ページずつしか表示させないので、現在表示中のページに関連する情報が記載された異なるページを参照したいと思った場合、複数のページを同時に表示することができないため、利便性が悪いものであった。
【０００３】
特許文献１には、プログラムのテキストデータを専用的に表示する第１の領域と、テキスト毎に関連づけられた図などの注釈を専用的に表示する第２の領域との二つの領域を設け、関連する情報同士を同時に表示させることが記載されている。第１の領域に表示されているテキストに関連付けられた全ての図を第２の領域で表示させている。
【０００４】
【特許文献１】特開平５−３１３８７７
【発明の開示】
【発明が解決しようとする課題】
【０００５】
しかしながら、特許文献１記載の発明によれば、注釈が関連付けられている第１の領域に表示中のテキストが増えた場合のことが考えられていない。このため、第１の領域に表示されているテキストに関連付けられた全ての図を第２の領域で表示させるためには、注釈の図を小さく表示させなければならず、利用者には注釈の図が見づらいものとなってしまう。
【０００６】
本発明は、上述した問題点を解決するためになされたものであり、操作性の優れた表示装置を提供することを目的とする。
【課題を解決するための手段】
【０００７】
請求項１記載の表示装置は、ページ単位のデータである第一ページデータを複数備えた第一ページデータ群、及び、ひとつの第一ページデータに複数関連付けられることが可能な第二ページデータを複数備えた第二ページデータ群を取得する取得手段と、前記第一ページデータ群の前記第一ページデータを表示する第一表示領域と、前記第二ページデータ群の前記第二ページデータを表示する第二表示領域とを備えた表示媒体と、前記第一表示領域に表示する前記第一ページデータを切換える指示の信号を発生する第一信号発生手段と、前記第二表示領域に表示する第二ページデータを切換える指示の信号を発生する第二信号発生手段と、前記第一信号発生手段からの信号を受信すると、表示中の前記第一ページデータとは異なる前記第一ページデータを前記取得手段から取得し、前記第一表示領域の表示を取得した前記第一ページデータに切換え、且つ、前記第二表示領域の表示を取得した前記第一ページデータに関連する前記第二ページデータに切換える第一表示制御手段と、前記第二信号発生手段からの信号を受信すると、表示中の前記第二ページデータとは異なり、且つ、表示中の前記第一ページデータに関連する範囲内の前記第二ページデータを前記取得手段から取得し、前記第二表示領域の表示を取得した前記第二ページデータに切換える第二表示制御手段とを備える。
【０００８】
また、請求項２記載の表示装置は、請求項１記載の表示装置であって、前記第二表示制御手段は、前記第一表示領域に表示されている前記第一ページデータに関連する前記第二ページデータが複数存在する場合に、現在表示されている前記第一ページデータに関連する前記第二ページデータが複数存在することを示す改ページ情報を表示することを特徴とする。
【０００９】
また、請求項３記載の表示装置は、請求項２記載の表示装置であって、前記第二表示制御手段は、前記第一表示領域に表示されている前記第一ページデータに関連する次のページの前記第二ページデータが存在する場合に、現在表示されている前記第一ページデータに関連する次のページの前記第二ページデータが存在することを示す改ページ情報を表示することを特徴とする。
【００１０】
また、請求項４記載の表示装置は、請求項２記載の表示装置であって、前記表示制御手段は、前記第一表示領域に表示されている前記第一ページデータに関連する前のページの前記第二ページデータが存在する場合に、現在表示されている前記第一ページデータに関連する前のページの前記第二ページデータが存在することを示す改ページ情報を表示することを特徴とする。
【００１１】
また、請求項５記載の表示装置は、請求項１から請求項４のいずれかに記載の表示装置であって、前記第一信号発生手段は、次のページに進めるための第一送りボタンと、前のページに戻すための第一戻りボタンとを有し、前記第一送りボタンが操作された場合に次のページの前記第一ページデータに表示を切換える指示の信号を発生し、前記第一戻りボタンが操作された場合に前のページの前記第一ページデータに表示を切換える指示の信号を発生し、前記第二信号発生手段は、次のページに進めるための第二送りボタンと、前のページに戻すための第二戻りボタンとを有し、前記第二送りボタンが操作された場合に次のページの前記第二ページデータに表示を切換える指示の信号を発生し、前記第二戻りボタンが操作された場合に前のページの前記第二ページデータに表示を切換える指示の信号を発生することを特徴とする。
【００１２】
また、請求項６記載の表示装置は、請求項１から請求項５のいずれかに記載の表示装置であって、前記取得手段は、ひとつの前記第一ページデータに所定の参照順に関連付けられた前記第二ページデータを複数備えた前記第二ページデータ群を取得し、前記第二表示制御手段は、前記所定の参照順に前記第二ページデータを切換えることを特徴とする。
【００１３】
また、請求項７記載の表示装置は、請求項１から請求項６のいずれかに記載の表示装置であって、前記取得手段は、テキストデータである前記第一ページデータを複数備えた前記第一ページデータ群、及び、イメージデータである前記第二ページデータを複数備えた前記第二ページデータ群を取得することを特徴とする。
【００１４】
また、請求項８記載の表示装置は、請求項１から請求項７のいずれかに記載の表示装置であって、前記表示媒体は、互いに対向して設けられた第一基板及び第二基板と、前記第一基板と第二基板との基板間に荷電粒子を分散させた表示液とを備えた電気泳動表示媒体であることを特徴とする。
【００１５】
また、請求項９記載の表示プログラムは、ページ単位のデータである第一ページデータを複数備えた第一ページデータ群、及び、ひとつの第一ページデータに複数関連付けられることが可能な第二ページデータを複数備えた第二ページデータ群を取得する取得手段と、前記第一ページデータ群の前記第一ページデータを表示する第一表示領域と、前記第二ページデータ群の前記第二ページデータを表示する第二表示領域と、前記第一表示領域に表示する前記第一ページデータを切換える指示の信号を発生する第一信号発生手段と、前記第二表示領域に表示する第二ページデータを切換える指示の信号を発生する第二信号発生手段とを備えた表示媒体とを備えた表示装置のコンピュータを、前記第一信号発生手段からの信号を受信すると、表示中の前記第一ページデータとは異なる前記第一ページデータを前記取得手段から取得し、前記第一表示領域の表示を取得した前記第一ページデータに切換え、且つ、前記第二表示領域の表示を取得した前記第一ページデータに関連する前記第二ページデータに切換える第一表示制御手段と、前記第二信号発生手段からの信号を受信すると、表示中の前記第二ページデータとは異なり、且つ、表示中の前記第一ページデータに関連する範囲内の前記第二ページデータを前記取得手段から取得し、前記第二表示領域の表示を表示中の前記第二ページデータから取得した前記第二ページデータに切換える第二表示制御手段として機能させる。
【発明の効果】
【００１６】
請求項１記載の発明によれば、第一ページデータと第二ページデータを同時に表示させ、ページめくりの動作も別々の第一信号発生手段と第二信号発生手段により別々に行なうので、操作性が優れる。
【００１７】
また、請求項２記載の発明によれば、前記第二表示制御手段は、前記第一表示領域に表示されている前記第一ページデータに関連する次のページの前記第二ページデータが存在する場合に、現在表示されている前記第一ページデータに関連する次のページの前記第二ページデータが存在することを示す改ページ情報を表示するので、第二信号発生手段を操作すべきか否かを利用者が判断できる。
【００１８】
また、請求項３記載の発明によれば、前記第二表示制御手段は、前記第一表示領域に表示されている前記第一ページデータに関連する次のページの前記第二ページデータが存在する場合に、現在表示されている前記第一ページデータに関連する次のページの前記第二ページデータが存在することを示す改ページ情報を表示するので、第二信号発生手段を操作すべきか否かを利用者が判断できる。
【００１９】
また、請求項４記載の発明によれば、前記表示制御手段は、前記第一表示領域に表示されている前記第一ページデータに関連する前のページの前記第二ページデータが存在する場合に、現在表示されている前記第一ページデータに関連する前のページの前記第二ページデータが存在することを示す改ページ情報を表示するので、第二信号発生手段を操作すべきか否かを利用者が判断できる。
【００２０】
また、請求項５記載の発明によれば、第一送りボタンまたは第一戻りボタンを操作することによって第一ページデータの表示の切替を行なうことができ、第二送りボタンまたは第二戻りボタンを操作することによって第二ページデータの表示の切替を行なうことができる。
【００２１】
また、請求項６記載の発明によれば、前記第二表示制御手段は、前記所定の参照順に前記第二ページデータを切換えるので、利用者が参照順に第二ページデータのページめくりの操作を行なうことができる。
【００２２】
また、請求項７記載の発明によれば、テキストデータと、テキストデータに関連付けられたイメージデータを同時に表示させることができる。
【００２３】
また、請求項８記載の発明によれば、電気泳動表示媒体に前記第一ページデータ及び前記第二ページデータを同時に表示させることができる。
【００２４】
また、請求項９記載の発明によれば、第一ページデータと第二ページデータを同時に表示させ、ページめくりの動作も別々の第一信号発生手段と第二信号発生手段により別々に行なうので、操作性が優れる。
【発明を実施するための最良の形態】
【００２５】
以下、本発明の実施の形態について図面を参照して説明する。図１は、本発明の第一実施形態である表示装置１００を正面から見たときの概観図である。図１に示すように、表示装置１００は、文字又は画像を表示可能な表示パネル２０と、枠体３０と、選択操作部４０と、テキストめくりキー７０と、イメージめくりキー８０と、読込部９０とを備えている。
【００２６】
表示パネル２は、着色した荷電粒子を分散させた表示液が、２枚のガラス基板の間に封止されることにより構成される電気泳動表示媒体である。表示装置１００において、表示パネル２０を構成する２枚のガラス基板の一方面が、枠体３０の上面側に露出し、表示面を構成する。２枚のガラス基板にそれぞれ設けられた電極（図示せず）に、後述するテキストデータやイメージデータなどの各種画像データに基づいて電圧を印加することにより、表示液中の荷電粒子を泳動させ、表示面側に泳動された荷電粒子に起因する画像を表示させることができる。このような電気泳動表示媒体は特開２００４−１３１１９号公報に記載されており、説明を省略する。
【００２７】
尚、表示パネル２０は下半分の領域であるテキスト表示部２１と上半分の領域であるイメージ表示部２２とに分けられる。図１に示すように、テキスト表示部２１にはテキストデータが表示され、イメージ表示部２２にはイメージデータが表示される。
【００２８】
枠体３０は、表示パネル２０を取り囲む部材であって、その上面には、選択操作部４０と、イメージめくりキー７０と、テキストめくりキー８０とが設けられている。
【００２９】
選択操作部４０は表示パネル２０の下に配置されている。選択操作部４０は、十字キー４１と、決定キー４２と、取消キー４３とで構成されている。右から順番に十字キー４１、決定キー４２、取消キー４３が所定の間隔をあけて並べられている。
【００３０】
十字キー４１は、後述する選択処理において、表示させるコンテンツデータ５００を選択する操作を行なうためのキーである。
【００３１】
決定キー４２は、後述する決定処理において、表示させるコンテンツデータ５００を決定する操作を行なうためのキーである。
【００３２】
取消キー４３は、後述する取消処理において、後述するコンテンツ画面からコンテンツデータ選択画面に戻る操作を行なうためのキーである。
【００３３】
テキストめくりキー７０はテキスト表示部２１の左側に配置されている。そして、テキストめくりキー７０は、テキスト送りキー７１とテキスト戻りキー７２とで構成されている。上側にテキスト送りキー７１が配置され、下側にテキスト戻りキー７２が配置されている。
【００３４】
テキスト送りキー７１は、後述するテキスト送り処理で、テキスト表示部２１に表示させるテキストデータのページを１ページ分送る操作を行なうためのキーである。
【００３５】
テキスト戻りキー７２は、後述するテキスト戻り処理で、テキスト表示部２１に表示させるテキストデータのページを１ページ分戻す操作を行なうためのキーである。
【００３６】
イメージめくりキー８０はイメージ表示部２２の左側に配置されている。そして、イメージめくりキー８０は、イメージ送りキー８１とイメージ戻りキー８２とで構成されている。上側にイメージ送りキー８１が配置され、下側にテキスト戻りキー７２が配置されている。
【００３７】
イメージ送りキー８１は、後述するイメージ送り処理で、イメージ表示部２１に表示させるイメージデータのページを１ページ分送る操作を行なうためのキーである。
【００３８】
イメージ戻りキー８２は、後述するイメージ戻り処理で、イメージ表示部２１に表示させるイメージデータのページを１ページ分戻す操作を行なうためのキーである。
【００３９】
読込部９０は正面から見たときの枠体３０の下面の右側に配置される。読込部９０は、後述するコンテンツデータ５００を記憶した記憶媒体２００から、コンテンツデータ５００を読込む。
【００４０】
図２は表示装置１００の構成を示すブロック図である。図２に示すように、表示装置１００は、ＣＰＵ５０、ＲＯＭ５１、ＲＡＭ５２、読込部９０、選択操作部４０、テキストめくりキー７０、イメージめくりキー８０、及び、表示パネル２０を備えている。
【００４１】
ＣＰＵ５０は後述するメイン処理、読込処理、選択処理、決定処理、取消処理、イメージ送り処理、イメージ戻り処理、テキスト送り処理、及び、テキスト戻り処理を実行する。
【００４２】
ＲＯＭ５１にはＣＰＵ５０に、メイン処理、読込処理、選択処理、決定処理、取消処理、イメージ送り処理、イメージ戻り処理、テキスト送り処理、及び、テキスト戻り処理を実行させるための各種プログラムが記憶されている。
【００４３】
ＲＡＭ５２は、ＣＰＵ５０が上述の処理を実行するために利用される作業領域を備えている。
【００４４】
次に、表示装置１００で使用されるコンテンツデータ５００の構成について説明する。図３に記憶媒体２００に記憶されているコンテンツデータ５００の構成を示す模式図を示す。コンテンツデータ５００は関連テーブル５０１と、テキストデータ群５０２と、イメージデータ群５０３とからなる。
【００４５】
テキストデータ群５０２はページ単位のデータである複数のテキストデータから構成されている。本実施形態ではテキストデータ群５０２は、テキストデータ１ｐ〜１５ｐを備える。
【００４６】
テキストデータ１ｐ〜１５ｐはそれぞれ異なるテキストのデータである。例えば、テキストデータ１ｐは上述のテキスト表示部２１に表示される１ページ目のテキストのデータであり、テキストデータ２ｐはテキスト表示部２１に表示される２ページ目のテキストのデータである。
【００４７】
イメージデータ群５０３はページ単位のデータである複数のイメージデータから構成されている。本実形態ではイメージデータ群５０３はイメージデータ１ｐ〜１０ｐを備える。イメージデータ１ｐ〜１０ｐはそれぞれ異なるイメージのデータである。例えば、イメージデータ１ｐは上述のイメージ表示部２２に表示される１ページ目のイメージのデータであり、イメージデータ２ｐはイメージ表示部２２に表示される２ページ目のイメージのデータである。
【００４８】
関連テーブル５０１は後述する各種処理で参照されるテーブルである。図４に関連テーブル５０１の模式図を示す。
【００４９】
図４に示すように、関連テーブル５０１は「テキストのページ」の欄と、「関連するイメージのページ」の欄とを備える。関連テーブル５０１には、何ページ目のテキストデータが、何ページ目のイメージデータと関連しているかが記憶されている。「関連するイメージのページ」の欄には、表示させたい順番にページが記憶されている。
【００５０】
図４に示した例では、１ページ目のテキストデータは、１ページ目のイメージデータ、２ページ目のイメージデータ、及び、３ページ目のイメージデータと関連付けられている。このため、テキスト表示部２１に１ページ目のテキストデータ１ｐを表示させた状態で、イメージ送りキー８１を押下していくと、イメージデータ１ｐ、イメージデータ２ｐ、イメージデータ３ｐが順番に表示される。
【００５１】
また、７ページ目のテキストデータ７ｐは、イメージデータ１ｐ、イメージデータ２ｐ、イメージデータ３ｐ、イメージデータ１ｐ、イメージデータ４ｐの順番で関連付けられている。このためイメージデータ７ｐを表示させた状態で、イメージ送りキー８１を押下していくと、イメージデータ１ｐ、イメージデータ２ｐ、イメージデータ３ｐ、イメージデータ１ｐ、イメージデータ４ｐの順番に表示される。
【００５２】
次に表示装置１００の動作について説明する。図５は後述するコンテンツ画面でテキストめくりキー７０及びイメージめくりキー８０が操作されたときの動作を説明する説明図である。
【００５３】
図５（ａ）に示す表示装置１００のテキスト表示部２１には７ページ目のテキストデータであるテキストデータ７ｐが表示され、イメージ表示部２２には１ページ目のイメージデータであるイメージデータ１ｐが表示されている。
【００５４】
図５のイメージ表示部２２の右下には次ページマーク４０１が表示されている。またテキスト表示部２１の右下には次ページマーク４０４が表示されている。またテキスト表示部２１の左下には前ページマーク４０３が表示されている。次ページマーク４０１は表示中のイメージデータの次のページが存在することを示す改ページ情報である。前ページマーク４０３はテキスト表示部２１に表示中のテキストデータの前のページが存在することを示す改ページ情報である。次ページマーク４０４はテキスト表示部２１に表示中のテキストデータの次のページが存在することを示す改ページ情報である。
【００５５】
図５（ａ）の状態から、イメージ送りキー８１を１回押下した状態の表示装置１００を図５（ｂ）に示す。図５（ａ）の状態から、イメージ送りキー８１を２回押下した状態の表示装置１００を図５（ｃ）に示す。図５（ａ）の状態から、イメージ送りキー８１を３回押下した状態の表示装置１００を図５（ｄ）に示す。図５（ａ）の状態から、イメージ送りキー８１を４回押下した状態の表示装置１００を図５（ｅ）に示す。
【００５６】
また、図５（ｅ）の状態から、テキスト送りキー７１を１回押下した状態の表示装置１００を図（ｆ）に示す。図５（ｅ）の状態から、テキスト戻りキー７２を１回押下した状態の表示装置１００を図（ｇ）に示す。
【００５７】
図４の関連テーブル５０１には、テキストデータ７ｐに対して、イメージデータ１ｐの次にイメージデータ２ｐが関連付けられているため、図５（ｂ）の表示装置１００には、テキストデータ７ｐとイメージデータ２ｐとが表示されている。尚、イメージ表示部の左下には前ページマーク４０２が表示されている。前ページマーク４０２は表示中のイメージデータの前のページが存在することを示す改ページ情報である。
【００５８】
また、関連テーブル５０１には、テキストデータ７ｐに対して、イメージデータ２ｐの次にイメージデータ３ｐが関連付けられているため、図５（ｃ）の表示装置１００には、テキストデータ７ｐとイメージデータ３ｐが表示されている。
【００５９】
また、関連テーブル５０１には、テキストデータ７ｐに対して、イメージデータ３ｐの次にイメージデータ１ｐが関連付けられているため、図５（ｄ）の表示装置１００には、テキストデータ７ｐとイメージデータ１ｐが表示されている。
【００６０】
また、関連テーブル５０１には、テキストデータ７ｐに対して、イメージデータ１ｐの次にイメージデータ４ｐが関連付けられているため、図５（ｅ）の表示装置１００には、テキストデータ７ｐとイメージデータ４ｐが表示されている。次のイメージデータは存在しないので、イメージ表示部２２には次ページマーク４０１は表示されない。
【００６１】
また、図５（ｅ）の状態で、テキスト送りキー７１が押下されると、図５（ｆ）に示すようにテキスト表示部２１には次のページのテキストデータ８ｐが表示される。またこの操作に伴い、イメージ表示部２２にはテキストデータ８ｐに最初に関連付けられているイメージデータ５ｐが表示される。イメージ表示部２２には、次ページマーク４０１が表示される。前ページマーク４０２は表示されない。
【００６２】
また、図５（ｅ）の状態で、テキスト戻りキー７２が押下されると、図５（ｇ）に示すようにテキスト表示部２１には前のページのテキストデータ６ｐが表示される。またこの操作に伴い、イメージ表示部２２にはテキストデータ６ｐに最初に関連付けられているイメージデータ３ｐが表示される。関連づけられたイメージデータが一枚だけなので、イメージ表示部２２には、次ページマーク４０１及び前ページマーク４０２は表示されない。
【００６３】
表示装置１００の動作についてフローチャートを用いて詳細に説明する。図６は表示媒体１００のＣＰＵ５０が行なうメイン処理のフローチャートである。
【００６４】
ユーザによって図示しない電源ボタンが押下されると表示装置１００の電源がＯＮされる。表示装置１００の電源がＯＮされると、ＣＰＵ５０は図６に示すメイン処理を開始する。
【００６５】
メイン処理を開始すると、ＣＰＵ５０は先ず読込部９０に接続されている記憶媒体２００に上述のコンテンツデータ５００が少なくとも一つ以上が記憶されているか否かを判断する（ステップ１０１、以下ステップを単にＳと称す）。
【００６６】
記憶媒体２００に少なくとも一つ以上のコンテンツデータ５００が記憶されている場合は（Ｓ１０１：ＹＥＳ）、表示パネル２０にコンテンツデータ選択画面を表示する（Ｓ１０２）。
【００６７】
コンテンツデータ選択画面のを表示した表示装置１００の模式図を図７に示す。図７に示すようにコンテンツデータ選択画面には、記憶媒体２００に記憶されているコンテンツデータ５００のタイトルの一覧６０を表示する。
【００６８】
図７に示した一例では、記憶媒体２００には４つのコンテンツデータ５００が記憶されており、コンテンツデータ選択画面にはそれぞれのコンテンツデータ５００のタイトルである「コンテンツＡ」、「コンテンツＢ」、「コンテンツＣ」、及び、「コンテンツＤ」が一覧表示されている。更に、この一覧６０の一番上のコンテンツデータ５００のタイトルである「コンテンツＡ」は反転表示されている。
【００６９】
このようにコンテンツデータ選択画面を表示すると、次にＣＰＵ５０は電源ボタンが押下されているか否かを判断する（Ｓ１０４）。電源ボタンが押下されている場合は（Ｓ１０４：ＹＥＳ）、メイン処理を終了する。
【００７０】
電源ボタンが押下されていない場合は（Ｓ１０４：ＮＯ）、後述する入力処理を開始する（Ｓ１０５、図９参照）。この入力処理を終了すると、Ｓ１０４へ戻り再び電源ボタンが押下されているか否かを判断する。
【００７１】
Ｓ１０１にて、読込部９０に記憶媒体２００が接続されていないと判断した場合、または、読込み部９０に接続されている記憶媒体２００にコンテンツデータ５００が記憶されていないと判断した場合は（Ｓ１０１：ＮＯ）、表示パネル２０にブランク画面を表示する（Ｓ１０４）。
【００７２】
ブランク画面を表示した表示装置１００の模式図を図８に示す。図８に示すようにブランク画面には、「データがありません」というメッセージが表示される。このブランク画面を表示すると、上述のＳ１０４に移行する。
【００７３】
次に、入力処理について説明する。図９は入力処理のフローチャートである。ＣＰＵ５０は入力処理を開始すると、ユーザにより入力部４００が操作されたか否かを判断する（Ｓ２０１）。入力部４００のいずれも操作されていない場合は（Ｓ２０１：ＮＯ）、入力処理を終了し、メイン処理のＳ１０４へ移行する。
【００７４】
入力部４００のいずれかが操作された場合は（Ｓ２０１：ＹＥＳ）、操作された入力部４００にそれぞれ対応する処理が開始される（Ｓ２０２）。操作された入力部４００にそれぞれ対応する処理を終了すると、入力処理を終了し、メイン処理のＳ１０４へ移行する。
【００７５】
ユーザによる入力部４００の操作としては以下のものがある。読込部９０に記憶媒体２００が挿入されること。選択操作部４０の十字キー４１が押下されること。選択操作部４０の決定キー４２が押下されること。選択操作部４０の取消キー４３が押下されること。イメージめくりキー８０におけるイメージ送りキー８１若しくはイメージ戻りキー８２のいずれかが押下されること。テキストめくりキー７０におけるテキスト送りキー７１若しくはテキスト戻りキー７２のいずれかが押下されること。以上の操作が行なわれたか否かが、上述のＳ２０１では判断される。
【００７６】
ここで、ユーザにより記憶媒体２００が挿入された読込部９０はＣＰＵ５０に記憶媒体２００が挿入されたことを示す信号を送信するので、ＣＰＵ５０はＳ２０１において読込部９０に記憶媒体２００が挿入されたことを検知することができる。
【００７７】
また、ユーザにより押下された十字キー４１はＣＰＵ５０に十字キー４１が押下されたことを示す信号を送信するので、ＣＰＵ５０はＳ２０１において十字キー４１が押下されたことを検知することができる。
【００７８】
また、ユーザにより押下された決定キー４２はＣＰＵ５０に決定キー４２が押下されたことを示す信号を送信するので、ＣＰＵ５０はＳ２０１において決定キー４２が押下されたことを検知することができる。
【００７９】
また、ユーザにより押下された取消キー４３はＣＰＵ５０に取消キー４３が押下されたことを示す信号を送信するので、ＣＰＵ５０はＳ２０１において取消キー４３が押下されたことを検知することができる。
【００８０】
また、ユーザにより押下されたイメージ送りキー８１はＣＰＵ５０にイメージ送りキー８１が押下されたことを示す信号を送信するので、ＣＰＵ５０はＳ２０１においてイメージ送りキー８１が押下されたことを検知することができる。
【００８１】
また、ユーザにより押下されたイメージ戻りキー８２はＣＰＵ５０にイメージ戻りキー８２が押下されたことを示す信号を送信するので、ＣＰＵ５０はＳ２０１においてイメージ戻りキー８２が押下されたことを検知することができる。
【００８２】
また、ユーザにより押下されたテキスト送りキー７１はＣＰＵ５０にテキスト送りキー７１が押下されたことを示す信号を送信するので、ＣＰＵ５０はＳ２０１においてテキスト送りキー７１が押下されたことを検知することができる。
【００８３】
また、ユーザにより押下されたテキスト戻りキー７２はＣＰＵ５０にテキスト戻りキー７２が押下されたことを示す信号を送信するので、ＣＰＵ５０はＳ２０１においてテキスト戻りキー７２が押下されたことを検知することができる。
【００８４】
即ち、Ｓ２０１において記憶媒体２００が挿入されたことを示す信号を検知した場合、ＣＰＵ５０はＳ２０２において後述の読込処理を開始する。
【００８５】
また、Ｓ２０１において十字キー４１が押下されたことを示す信号を検知した場合、ＣＰＵ５０はＳ２０２において後述の選択処理を開始する。
【００８６】
また、Ｓ２０１において決定キー４２が押下されたことを示す信号を検知した場合、ＣＰＵ５０はＳ２０２において後述の決定処理を開始する。
【００８７】
また、Ｓ２０１において取消キー４３が押下されたことを示す信号を検知した場合、ＣＰＵ５０はＳ２０２において後述の取消処理を開始する。
【００８８】
また、Ｓ２０１においてイメージ送りキー８１が押下されたことを示す信号を検知した場合、ＣＰＵ５０はＳ２０２において後述のイメージ送り処理を開始する。
【００８９】
また、Ｓ２０１においてイメージ戻りキー８２が押下されたことを示す信号を検知した場合、ＣＰＵ５０はＳ２０２において後述のイメージ戻り処理を開始する。
【００９０】
また、Ｓ２０１においてテキスト送りキー７１が押下されたことを示す信号を検知した場合、ＣＰＵ５０はＳ２０２において後述のテキスト送り処理を開始する。
【００９１】
また、Ｓ２０１においてテキスト戻りキー７２が押下されたことを示す信号を検知した場合、ＣＰＵ５０はＳ２０２において後述のテキスト戻り処理を開始する。
【００９２】
以下、読込処理、選択処理、決定処理、取消処理、イメージ送り処理、イメージ戻り処理、テキスト送り処理、及び、テキスト戻り処理について説明する。
【００９３】
まず、読込処理について説明する。図１０は読込処理のフローチャートである。読込処理は、上述したように読込部９０に記憶媒体２００が挿入された場合に開始される。
【００９４】
ＣＰＵ５０は読込処理を開始すると、読込部９０に今回挿入された記憶媒体２００にコンテンツデータ５００が記憶されているか否かを判断する（Ｓ３０１）。コンテンツデータ５００が記憶されている場合は（Ｓ３０１：ＹＥＳ）、表示パネル２０にコンテンツデータ選択画面を表示する（Ｓ３０２）。そして読込処理を終了し、メイン処理のＳ１０４に移行する。
【００９５】
記憶媒体２００にコンテンツデータ５００が記憶されていない場合（Ｓ３０１：ＮＯ）、表示パネル２０にブランク画面を表示する（Ｓ３０３）。そして読込処理を終了し、メイン処理のＳ１０４に移行する。
【００９６】
次に、選択処理について説明する。図１１は選択処理のフローチャートである。選択処理は、上述したように十字キー４１が押下された場合に開始される。
【００９７】
ＣＰＵ５０は選択処理を開始すると、表示パネル２０に表示している画面がコンテンツデータ選択画面であるか否かを判断する（Ｓ４０１）。画面がコンテンツデータ選択画面である場合は（Ｓ４０１：ＹＥＳ）、十字キー４１の操作に従って、タイトルの一覧の反転表示させるタイトル変更する（Ｓ４０２）。即ち、十字キー４１の下方向が押下されている場合は、反転表示させるタイトルを一つ下に移動する。十字キー４１の上方向が押下されている場合は、反転表示させるタイトルを一つ上に移動する。
【００９８】
例えば、図７に示したコンテンツデータ選択画面のように「コンテンツＡ」が反転表示されている場合は、十字キー４１の下方向が押下されたとき反転表示されるタイトルが一つ下に移動されて「コンテンツＢ」が反転表示される。図１２に「コンテンツＢ」が反転表示されたコンテンツデータ選択画面を示す。また、図７に示したコンテンツデータ選択画面のように「コンテンツＡ」が反転表示されているときに、十字キー４１の上方向が押下されると、反転表示されるタイトルが一つ上に移動されて「コンテンツＤ」が反転表示される。図１３に「コンテンツＤ」が反転表示されたコンテンツデータ選択画面を示す。
【００９９】
このように、Ｓ４０２において、タイトルの一覧の反転表示させるタイトルを変更すると選択処理を終了し、メイン処理のＳ１０４に移行する。
【０１００】
表示パネル２０に表示している画面がコンテンツデータ選択画面でない場合は（Ｓ４０１：ＮＯ）、何も行なわずに選択処理を終了しメイン処理のＳ１０４に移行する。即ち、コンテンツデータ選択画面以外の画面表示の時に十字キー４１が押下されたとしても、ＣＰＵ５０は表示を変化させない。
【０１０１】
次に、決定処理について説明する。図１４は決定処理のフローチャートである。決定処理は、上述したように決定キー４２が押下された場合に開始される。
【０１０２】
ＣＰＵ５０は選択処理を開始すると、表示パネル２０に表示している画面がコンテンツデータ選択画面であるか否かを判断する（Ｓ５０１）。画面がコンテンツデータ選択画面である場合は（Ｓ５０１：ＹＥＳ）、反転表示されているタイトルのコンテンツデータ５００をコンテンツ画面で表示する（Ｓ５０２）。
【０１０３】
図１５にコンテンツ画面を表示した表示装置１００の模式図を示す。図１５に示したように、表示パネル２０のテキスト表示部２１はテキストが表示され、イメージ表示部２２にはイメージが表示されている。
【０１０４】
Ｓ５０２においては、テキストデータ群５０３のうち１ページ目のテキストデータがテキスト表示部２１に表示され、イメージデータ群５０４のうち１ページ目のイメージデータがイメージ表示部２２に表示される。
【０１０５】
このように、Ｓ５０２において、コンテンツ画面を表示すると、Ｓ５０２で表示させたテキストデータを基準に、図４に示した関連テーブル５０１を参照し、更に次のテキストデータがあるか否かを判断する（Ｓ５０３）。
【０１０６】
更に次のテキストデータがないと判断した場合は（Ｓ５０３：ＮＯ）、関連テーブル５０１を参照し（Ｓ５０５）、現在表示中のテキストデータに関連付けられたイメージデータが存在するか否かが判断される（Ｓ５０３）。
【０１０７】
更に次のテキストデータがあると判断した場合は（Ｓ５０３：ＹＥＳ）、テキスト表示部２１の右下に次ページマーク４０４を表示させる（Ｓ５０４）。次ページマーク４０４はテキスト表示部２１に表示中のテキストデータの次のページが存在することを示す改ページ情報である。その後、関連テーブル５０１を参照し（Ｓ５０５）、現在表示中のテキストデータに関連付けられたイメージデータが存在するか否かが判断される（Ｓ５０６）。
【０１０８】
現在表示中のテキストデータに関連付けられたイメージデータが存在しないと判断した場合は（Ｓ５０６：ＮＯ）  、テキスト送り処理を終了し、メイン処理のＳ１０４に移行する。
【０１０９】
現在表示中のテキストデータに関連付けられたイメージデータが存在すると判断した場合は（Ｓ５０６：ＹＥＳ）  、関連する最初のイメージデータをイメージ表示部２２に表示する（Ｓ５０７）。
【０１１０】
そして、Ｓ５０５で表示させたイメージデータを基準に、図４に示した関連テーブル５０１を参照し、次のイメージデータがあるか否かを判断する（Ｓ５０８）。
【０１１１】
次のイメージデータがないと判断した場合は（Ｓ５０８：ＮＯ）、テキスト送り処理を終了し、メイン処理のＳ１０４に移行する。
【０１１２】
次のイメージデータがあると判断した場合は（Ｓ５０８：ＹＥＳ）、イメージ表示部２２の右下に次ページマーク４０１を合成させて表示する（Ｓ５０９）。その後テキスト送り処理を終了し、メイン処理のＳ１０４に移行する。
決定処理を終了し、メイン処理のＳ１０４に移行する。
【０１１３】
画面がコンテンツデータ選択画面でない場合は（Ｓ５０１：ＮＯ）、何も行なわずに決定処理を終了しメイン処理のＳ１０４に移行する。即ち、コンテンツデータ選択画面以外の画面表示の時に決定キー４２が押下されたとしても、ＣＰＵ５０は表示を変化させない。
【０１１４】
次に、取消処理について説明する。図１６は取消処理のフローチャートである。取消処理は、上述したように取消キー４３が押下された場合に開始される。
【０１１５】
ＣＰＵ５０は取消処理を開始すると、表示パネル２０に表示している画面がコンテンツ画面か否かを判断する（Ｓ６０１）。画面がコンテンツ画面である場合は（Ｓ６０１：ＹＥＳ）、表示パネル２０の表示をコンテンツデータ選択画面に切換える（Ｓ６０２）。そして、取消処理を終了しメイン処理のＳ１０４に移行する。
【０１１６】
画面がコンテンツ画面でない場合は（Ｓ６０１：ＮＯ）、何も行なわずに取消処理を終了しメイン処理のＳ１０４に移行する。即ち、コンテンツ画面以外の画面表示の時に取消キー４３が押下されたとしても、ＣＰＵ５０は表示を変化させない。
【０１１７】
次に、イメージ送り処理について説明する。図１７はイメージ送り処理のフローチャートである。イメージ送り処理は、上述したようにイメージ送りキー８１が押下された場合に開始される。
【０１１８】
ＣＰＵ５０はイメージ送り処理を開始すると、表示パネル２０に表示している画面がコンテンツ画面か否かを判断する（Ｓ７０１）。表示している画面がコンテンツ画面でない場合は（Ｓ７０１：ＮＯ）、何も行なわずにイメージ送り処理を終了し、メイン処理のＳ１０４に移行する。即ち、コンテンツ画面以外の画面表示の時に、イメージ送りキー８１が押下されたとしても、ＣＰＵ５０は表示を変化させない。
【０１１９】
表示している画面がコンテンツ画面である場合（Ｓ７０１：ＹＥＳ）、図４に示した関連テーブル５０１を参照する（Ｓ７０２）。そして、現在表示中のテキストデータに関連付けられているイメージデータの範囲内で、次のページのイメージデータが存在するか否かが判断される（Ｓ７０３）。
【０１２０】
例えば、テキスト表示部２１に１ページ目のテキストデータが表示され、イメージ表示部２２に１ページ目のイメージデータが表示されている場合には、図４の関連テーブル５０１において、１ページ目のテキストデータに２ページ目のイメージデータも関連付けられているので、Ｓ７０３でＹＥＳと判断される。
【０１２１】
また、テキスト表示部に２１に１ページ目のテキストデータが表示され、イメージ表示部２２に３ページ目のイメージデータが表示されている場合には、３ページ目の次のページは関連付けられていないので、Ｓ７０３でＮＯと判断される。
【０１２２】
現在表示中のテキストデータに関連付けられているイメージデータの範囲内で、次のページのイメージデータが存在しないと判断した場合は（Ｓ７０３：ＮＯ）、イメージ送り処理を終了しメイン処理のＳ１０４に移行する。
【０１２３】
現在表示中のテキストデータに関連付けられているイメージデータの範囲内で、次のページのイメージデータが存在する場合は（Ｓ７０３：ＹＥＳ）、次のページのイメージデータをイメージ表示部２２に表示する（Ｓ７０４）。このときイメージ表示部２２の左下に前ページマーク４０２を合成させて表示する。前ページマーク４０２はイメージ表示部２２に表示中のイメージデータの前のページが存在することを示す改ページ情報である。
【０１２４】
そして、Ｓ７０４で表示させたイメージデータを基準に、図４に示した関連テーブル５０１を参照する（Ｓ７０５）。そして、更に次のイメージデータがあるか否かを判断する（Ｓ７０６）。
【０１２５】
更に次のイメージデータがないと判断した場合は（Ｓ７０６：ＮＯ）、イメージ送り処理を終了しメイン処理のＳ１０４に移行する。
【０１２６】
更に次のイメージデータがあると判断した場合は（Ｓ７０６：ＹＥＳ）、イメージ表示部２２の右下に次ページマーク４０１を表示させる（Ｓ７０７）。その後、イメージ送り処理を終了しメイン処理のＳ１０４に移行する。次ページマーク４０１は次のページが存在することを示す改ページ情報である。
【０１２７】
次に、イメージ戻り処理について説明する。図１８はイメージ戻り処理のフローチャートである。イメージ送り処理は、上述したようにイメージ戻りキー８２が押下された場合に開始される。
【０１２８】
ＣＰＵ５０はイメージ送り処理を開始すると、表示パネル２０に表示している画面がコンテンツ画面か否かを判断する（Ｓ８０１）。表示している画面がコンテンツ画面でない場合は（Ｓ８０１：ＮＯ）、何も行なわずにイメージ戻り処理を終了し、メイン処理のＳ１０４に移行する。即ち、コンテンツ画面以外の画面表示の時に、イメージ戻りキー７１が押下されたとしても、ＣＰＵ５０は表示を変化させない。
【０１２９】
表示している画面がコンテンツ画面である場合（Ｓ８０１：ＹＥＳ）、図４に示した関連テーブル５０１を参照する（Ｓ８０２）。そして、現在表示中のテキストデータに関連付けられているイメージデータの範囲内で、前のページのイメージデータが存在するか否かが判断される（Ｓ８０３）。
【０１３０】
例えば、テキスト表示部２１に８ページ目のテキストデータが表示され、イメージ表示部２２に７ページ目のイメージデータが表示されている場合には、図４の関連テーブル５０１において、８ページ目のテキストデータには、７ページ目のイメージデータの前に４ページ目のイメージデータも関連付けられているので、Ｓ８０３でＹＥＳと判断される。
【０１３１】
また、テキスト表示部に２１に８ページ目のテキストデータが表示され、イメージ表示部２２に５ページ目のイメージデータが表示されている場合には、５ページ目の前のページは関連付けられていないので、Ｓ８０３でＮＯと判断される。
【０１３２】
現在表示中のテキストデータに関連付けられているイメージデータの範囲内で、前のページのイメージデータが存在しないと判断した場合は（Ｓ８０３：ＮＯ）、イメージ戻り処理を終了しメイン処理のＳ１０４に移行する。
【０１３３】
現在表示中のテキストデータに関連付けられているイメージデータの範囲内で、前のページのイメージデータが存在する場合は（Ｓ８０３：ＹＥＳ）、前のページのイメージデータをイメージ表示部２２に表示する（Ｓ８０４）。このときイメージ表示部２２の右下に次ページマーク４０１を合成させて表示する。
【０１３４】
そして、Ｓ８０４で表示させたイメージデータを基準に、図４に示した関連テーブル５０１を参照する（Ｓ８０５）。そして、更に前のイメージデータがあるか否かを判断する（Ｓ８０６）。
【０１３５】
更に前のイメージデータがないと判断した場合は（Ｓ８０６：ＮＯ）、イメージ戻り処理を終了しメイン処理のＳ１０４に移行する。
【０１３６】
更に前のイメージデータがあると判断した場合は（Ｓ８０６：ＹＥＳ）、イメージ表示部２２の左下に前ページマーク４０２を表示させ（Ｓ８０７）、イメージ戻り処理を終了しメイン処理のＳ１０４に移行する。
【０１３７】
次に、テキスト送り処理について説明する。図１９はテキスト送り処理のフローチャートである。テキスト送り処理は、上述したようにテキスト送りキー７１が押下された場合に開始される。
【０１３８】
ＣＰＵ５０はテキスト送り処理を開始すると、表示パネル２０に表示している画面がコンテンツ画面か否かを判断する（Ｓ９０１）。表示している画面がコンテンツ画面でない場合は（Ｓ９０１：ＮＯ）、何も行なわずにテキスト送り処理を終了し、メイン処理のＳ１０４に移行する。即ち、コンテンツ画面以外の画面表示の時に、テキスト送りキー７１が押下されたとしても、ＣＰＵ５０は表示を変化させない。
【０１３９】
表示している画面がコンテンツ画面である場合（Ｓ９０１：ＹＥＳ）、図４に示した関連テーブル５０１を参照する（Ｓ９０２）。そして、現在表示中のテキストデータの次のページのテキストデータが存在するか否かが判断される（Ｓ９０３）。
【０１４０】
例えば、テキスト表示部２１に１ページ目のテキストデータが表示されている場合には、関連テーブル５０１には２ページ目のテキストデータが存在するので、Ｓ９０３でＹＥＳと判断される。
【０１４１】
また、テキスト表示部２１に１５ページ目のテキストデータが表示されている場合には、関連テーブル５０１には次のテキストデータが存在しないので、Ｓ９０３でＮＯと判断される。
【０１４２】
現在表示中のテキストデータの次のページのテキストデータが存在しないと判断した場合は（Ｓ９０３：ＮＯ）、テキスト送り処理を終了しメイン処理のＳ１０４に移行する。
【０１４３】
現在表示中のテキストデータの次のページのテキストデータが存在すると判断した場合は（Ｓ９０３：ＹＥＳ）、次のページのテキストデータをテキスト表示部２１に表示する（Ｓ９０４）。このときテキスト表示部２１の左下に前ページマーク４０３を合成させて表示する。前ページマーク４０３はテキスト表示部２１に表示中のテキストデータの前のページが存在することを示す改ページ情報である。
【０１４４】
そして、Ｓ９０４で表示させたテキストデータを基準に、図４に示した関連テーブル５０１を参照する（Ｓ９０５）。そして、更に次のテキストデータがあるか否かを判断する（Ｓ９０６）。
【０１４５】
更に次のテキストデータがないと判断した場合は（Ｓ９０６：ＮＯ）、関連テーブル５０１を参照し（Ｓ９０８）、現在表示中のテキストデータに関連付けられたイメージデータが存在するか否かが判断される（Ｓ９０９）。
【０１４６】
更に次のテキストデータがあると判断した場合は（Ｓ９０６：ＹＥＳ）、テキスト表示部２１の右下に次ページマーク４０４を表示させる（Ｓ９０７）。次ページマーク４０４はテキスト表示部２１に表示中のテキストデータの次のページが存在することを示す改ページ情報である。その後、関連テーブル５０１を参照し（Ｓ９０８）、現在表示中のテキストデータに関連付けられたイメージデータが存在するか否かが判断される（Ｓ９０９）。
【０１４７】
現在表示中のテキストデータに関連付けられたイメージデータが存在しないと判断した場合は（Ｓ９０９：ＮＯ）  、テキスト送り処理を終了し、メイン処理のＳ１０４に移行する。
【０１４８】
現在表示中のテキストデータに関連付けられたイメージデータが存在すると判断した場合は（Ｓ９０９：ＹＥＳ）  、関連する最初のイメージデータをイメージ表示部２２に表示する（Ｓ９１０）。
【０１４９】
そして、Ｓ９１０で表示させたイメージデータを基準に、図４に示した関連テーブル５０１を参照し、次のイメージデータがあるか否かを判断する（Ｓ９１１）。
【０１５０】
次のイメージデータがないと判断した場合は（Ｓ９１１：ＮＯ）、テキスト送り処理を終了し、メイン処理のＳ１０４に移行する。
【０１５１】
次のイメージデータがあると判断した場合は（Ｓ９１１：ＹＥＳ）、イメージ表示部２２の右下に次ページマーク４０１を合成させて表示する（Ｓ９１２）。その後テキスト送り処理を終了し、メイン処理のＳ１０４に移行する。
【０１５２】
次に、テキスト戻り処理について説明する。図２０はテキスト戻り処理のフローチャートである。テキスト戻り処理は、上述したようにテキスト戻りキー７２が押下された場合に開始される。
【０１５３】
ＣＰＵ５０はテキスト戻り処理を開始すると、表示パネル２０に表示している画面がコンテンツ画面か否かを判断する（Ｓ１００１）。表示している画面がコンテンツ画面でない場合は（Ｓ１００１：ＮＯ）、何も行なわずにテキスト戻り処理を終了し、メイン処理のＳ１０４に移行する。即ち、コンテンツ画面以外の画面表示の時に、テキスト戻りキー７２が押下されたとしても、ＣＰＵ５０は表示を変化させない。
【０１５４】
表示している画面がコンテンツ画面である場合（Ｓ１００１：ＹＥＳ）、図４に示した関連テーブル５０１を参照する（Ｓ１００２）。そして、現在表示中のテキストデータの前のページのテキストデータが存在するか否かが判断される（Ｓ１００３）。
【０１５５】
例えば、テキスト表示部２１に２ページ目のテキストデータが表示されている場合には、関連テーブル５０１には１ページ目のテキストデータが存在するので、Ｓ１００３でＹＥＳと判断される。
【０１５６】
また、テキスト表示部に２１に１ページ目のテキストデータが表示されている場合には、関連テーブル５０１には前のテキストデータが存在しないので、Ｓ１００３でＮＯと判断される。
【０１５７】
現在表示中のテキストデータの前のページのテキストデータが存在しないと判断した場合は（Ｓ１００３：ＮＯ）、テキスト戻り処理を終了しメイン処理のＳ１０４に移行する。
【０１５８】
現在表示中のテキストデータの前のページのテキストデータが存在すると判断した場合は（Ｓ１００３：ＹＥＳ）、前のページのテキストデータをテキスト表示部２１に表示する（Ｓ１００４）。このときテキスト表示部２１の右に次ページマーク４０４を合成させて表示する。
【０１５９】
そして、Ｓ１００４で表示させたテキストデータを基準に、図４に示した関連テーブル５０１を参照する（Ｓ１００５）。そして、更に前のテキストデータがあるか否かを判断する（Ｓ１００６）。
【０１６０】
更に前のテキストデータがないと判断した場合は（Ｓ１００６：ＮＯ）、関連テーブル５０１を参照し（１００８）、現在表示中のテキストデータに関連付けられたイメージデータが存在するか否かが判断される（Ｓ１００９）。
【０１６１】
更に前のテキストデータがあると判断した場合は（Ｓ１００６：ＹＥＳ）、テキスト表示部２１の左下に前ページマーク４０３を表示させる（Ｓ１００７）。その後、関連テーブル５０１を参照し（Ｓ１００８）、現在表示中のテキストデータに関連付けられたイメージデータが存在するか否かが判断される（Ｓ１００９）。
【０１６２】
現在表示中のテキストデータに関連付けられたイメージデータが存在しないと判断した場合は（Ｓ１００９：ＮＯ）、テキスト戻り処理を終了し、メイン処理のＳ１０４に移行する。
【０１６３】
現在表示中のテキストデータに関連付けられたイメージデータが存在すると判断した場合は（Ｓ１００９：ＹＥＳ）、関連する最初のイメージデータをイメージ表示部２２に表示する（Ｓ１０１０）。
【０１６４】
そして、Ｓ１０１０で表示させたイメージデータを基準に、図４に示した関連テーブル５０１を参照し、次のイメージデータがあるか否かを判断する（Ｓ１０１１）。
【０１６５】
次のイメージデータがないと判断した場合は（Ｓ１０１１：ＮＯ）、テキスト戻り処理を終了し、メイン処理のＳ１０４に移行する。
【０１６６】
次のイメージデータがあると判断した場合は（Ｓ１０１１：ＹＥＳ）、イメージ表示部２２の右下に次ページマーク４０１を合成させて表示する（Ｓ１０１２）。その後テキスト戻り処理を終了し、メイン処理のＳ１０４に移行する。
【０１６７】
本実施例におけるテキストデータ群５０２が第一ページデータ群に相当する。またイメージデータ群５０３が第二ページデータ群に相当する。また、読込部９０が取得手段に相当する。また、表示パネル２０が表示媒体に相当する。また、テキスト表示部２１が第一表示領域に相当する。また、イメージ表示部２２が第二表示領域に相当する。また、テキストページめくりキー７０が第一信号発生手段に相当する。また、イメージページめくりキー８０が第二信号発生手段に相当する。また、テキスト送りキー７１が第一送りボタンに相当する。また、テキスト戻りキー７２が第一戻りボタンに相当する。また、イメージ送りキー８１が第二送りボタンに相当する。また、イメージ戻りキー８２が第二戻りボタンに相当する。また、ＣＰＵ５０が第一表示制御手段及び第二表示制御手段に相当する。
【０１６８】
上述の実施形態において、テキストデータと、テキストデータに関連付けられたイメージデータとを同時に表示させたが、本発明はこれに限定するものではない。例えば、テキストデータ同士を関連付けて２つのテキストデータを同時に表示させても良いし、イメージデータ同士を関連付けて２つのイメージデータを同時に表示させても良い。図２１はテキストデータ同士を関連付け同時に表示させた場合の表示装置１００の外観図であり、図２２はイメージデータ同士を関連付け同時に表示させた場合の表示装置１００の外観図である。
【０１６９】
また、上述の実施形態における図面において、右方向の矢印をページを送る方向の矢印とし、左方向の矢印をページを戻す方向の矢印として説明したが、左方向の矢印をページを送る方向の矢印とし、右方向の矢印をページを戻す方向の矢印として表示装置１００にレイアウトしても良いことはいうまでもない。
【０１７０】
また、上述の実施形態において、コンテンツデータ５００は記憶媒体２００から読込部９０が取得するものとして説明したがこれに限定するものではない。例えば、表示媒体１００に周知のハードディスクを設け、外部のデータベースからハードディスクにコンテンツデータ５００をダウンロードしておき、表示の際はハードディスクに記憶されているコンテンツデータ５００を表示させるようにしても良い。
【０１７１】
また、上述の実施形態において、改ページ情報として、次ページマーク４０１、前ページマーク４０２を表示させるものとして説明したが、改ページ情報はこれに限定するものではない。例えばテキストデータに関連するすべてのページ数と、現在表示させているのが関連する全てのページ数のうち何枚目かを示す数字を表示させるようにしても良い。例えば、関連する全てのページ数が５ページで、現在イメージ表示部２２に表示させているイメージデータがそのうちの２枚目であるときは、「２／５」や、「５−２」といったように表示させれば良い。
【０１７２】
また、上述の実記形態において、表示パネル２０は下半分の領域であるテキスト表示部２１と上半分の領域であるイメージ表示部２２とに分けられるものとして説明したが、表示媒体としては、テキストデータを専用で表示させる表示パネルと、イメージデータを専用で表示させる表示パネルとの２つのパネルを供えた表示媒体を使用しても良い。
【図面の簡単な説明】
【０１７３】
【図１】表示装置１００を正面から見たときの概観図。
【図２】表示装置１００の電気的構成を示すブロック図。
【図３】コンテンツデータ５００の構成を示す模式図。
【図４】関連テーブル５０１の模式図。
【図５】テキストめくりキー７０及びイメージめくりキー８０が操作されたときの動作を説明する説明図。
【図６】メイン処理のフローチャート。
【図７】コンテンツデータ選択画面のを表示した表示装置１００の模式図。
【図８】ブランク画面を表示した表示装置１００の模式図。
【図９】入力処理のフローチャート。
【図１０】読込処理のフローチャート。
【図１１】選択処理のフローチャート。
【図１２】「コンテンツＢ」が反転表示されたコンテンツデータ選択画面を表示した表示装置１００の模式図。
【図１３】「コンテンツＤ」が反転表示されたコンテンツデータ選択画面を表示した表示装置１００の模式図。
【図１４】決定処理のフローチャート。
【図１５】コンテンツ画面を表示した表示装置１００の模式図。
【図１６】取消処理のフローチャート。
【図１７】イメージ送り処理のフローチャート。
【図１８】イメージ戻り処理のフローチャート。
【図１９】テキスト送り処理のフローチャート。
【図２０】テキスト戻り処理のフローチャート。
【図２１】テキストデータ同士を関連付け同時に表示させた場合の表示装置１００の外観図。
【図２２】イメージデータ同士を関連付け同時に表示させた場合の表示装置１００の外観図。
【符号の説明】
【０１７４】
２０  表示パネル
２１  テキスト表示部
２２  イメージ表示部
３０  枠体
４０  選択操作部
４１  十字キー
４２  取消キー
４３  決定キー
５０  ＣＰＵ
５１  ＲＯＭ
５２  ＲＡＭ
７０  テキストめくりキー
７１  テキスト送りキー
７２  テキスト戻りキー
８０  イメージめくりキー
８１  イメージ送りキー
８２  イメージ戻りキー
９０  読込部
１００  表示装置
２００  記憶媒体
４０１  次ページマーク
４０２  前ページマーク
４０３  前ページマーク
４０４  次ページマーク
５００  コンテンツデータ
５０１  関連テーブル
５０２  テキストデータ群
５０３  イメージデータ群
【図１】
2007101596.tif 000003
【図２】
2007101596.tif 000004
【図３】
2007101596.tif 000005
【図４】
2007101596.tif 000006
【図５】
2007101596.tif 000007
【図６】
2007101596.tif 000008
【図７】
2007101596.tif 000009
【図８】
2007101596.tif 000010
【図９】
2007101596.tif 000011
【図１０】
2007101596.tif 000012
【図１１】
2007101596.tif 000013
【図１２】
2007101596.tif 000014
【図１３】
2007101596.tif 000015
【図１４】
2007101596.tif 000016
【図１５】
2007101596.tif 000017
【図１６】
2007101596.tif 000018
【図１７】
2007101596.tif 000019
【図１８】
2007101596.tif 000020
【図１９】
2007101596.tif 000021
【図２０】
2007101596.tif 000022
【図２１】
2007101596.tif 000023
【図２２】
2007101596.tif 000024